(57)【要約】【課題】テレビ端子とテレビ用機器との間を最適寸法で接続する。【解決手段】アウトレット用端子は，同軸ケーブルの一方側に備えられたＦ型プラグからなり，該Ｆ型プラグは，前記ケース内に収容された軸体であって，該ケース内に形成した枢着部に枢着されて，前記同軸ケーブルを周囲に巻回し且つその同軸ケーブルを巻戻し方向に付勢する付勢手段が内蔵された軸体に対して繰出し・巻戻し自在に構成されており，前記同軸ケーブルの他方側には接続部が備えられ，該接続部は前記軸体であって該軸体の軸線上となる位置に固着させてあり，前記接栓は前記ケースに一体に形成され，前記軸体に備えた接続部と前記ケースに備えた接栓座とは，前記ケース内部において，前記軸体の回転動作においても前記接続部と接栓座とを電気的に接続可能な接続手段を備え，パネルの前面には巻戻しの操作手段を備えた。【選択図】  図２
2006066158.tif 000002
【特許請求の範囲】
【請求項１】
内部に収納空間を備えた略四角形状のケースの前面にパネルを具備し，該パネルの凹部にアウトレット用端子を備え，ケースの他の面に少なくとも１つの接栓座を備えたテレビ共同受信用テレビ端子において，
前記アウトレット用端子は，同軸ケーブルの一方側に備えられたＦ型プラグからなり，該Ｆ型プラグは，前記ケース内に収容された軸体であって，該ケース内に形成した枢着部に枢着されて，前記同軸ケーブルを周囲に巻回し且つその同軸ケーブルを巻戻し方向に付勢する付勢手段が内蔵された軸体に対して繰出し・巻戻し自在に構成されており，
前記同軸ケーブルの他方側には接続部が備えられ，該接続部は前記軸体であって該軸体の軸線上となる位置に固着させてあり，
前記接栓座は前記ケースから突設するように備えられ，
前記軸体に備えた接続部と，前記接栓座とは，前記ケース内部において，前記軸体の回転動作においても前記接続部と接栓座とを電気的に接続可能な接続手段を備え，
前記パネルの前面には，前記同軸ケーブルの巻戻しの操作手段を備え，たことを特徴としたテレビ共同受信用テレビ端子。
【発明の詳細な説明】
【技術分野】
【０００１】
本発明は，主にテレビ共同受信システムに利用されるテレビ端子に関し，詳しくは該テレビ端子からテレビ受像機やビデオテープレコーダー等のテレビ用機器との間を接続するためのテレビ共同受信用直列テレビ端子の構造に関する。
【背景技術】
【０００２】
従来のテレビ共同受信システムでは，テレビアンテナやＣＡＴＶ伝送路から宅内に引き込まれた信号は，同軸ケーブルや分配器等を介して所要数に分配され，当該分配された信号は更に同軸ケーブル等を介してテレビ端子まで伝送される。テレビ端子には宅内用の同軸ケーブルを接続することによって，この同軸ケーブルの先には，例えばテレビ受像機が接続されたり，更に分配器等を介してテレビ受像機やビデオに接続されたりするような構成となっていた。
（例えば，特許文献１の図  に示す分配器，及び，特許文献２の図  に示すシステム参照。）
このような受信システムにおいて使用されるテレビ端子からテレビ受像機用までの宅内用の同軸ケーブルは，このシステムを施工した業者がテレビ等の配置に基づいて，所定長さに加工して配設する場合や，ユーザー自らが材料をそろえて加工する場合もあるが，一般的にはテレビ受像機等の配置に合わせて，家人がＤＩＹショップや家電量販店等において，接続コネクタの加工済みのケーブルを購入してくる場合が多い。
（例えば，特許文献３参照）
【０００３】
【特許文献１】特許  第２８１９０３２号公報
【特許文献２】特開平９−２７５５１３号公報
【特許文献３】特開昭６３−３１０５８２号公報
【発明の開示】
【発明が解決しようとする課題】
【０００４】
しかし，従来のようにテレビ端子からテレビ受像機へ接続する同軸ケーブルや，分配器とビデオ等を接続する同軸ケーブルを，それらの設置場所に応じて同軸ケーブルを切断して，その両端にＦ型プラグを取り付けるような場合は，その加工の手間がかかるばかりでなく，加工することに慣れていない一般ユーザーにとっては，非常に難しいものとなるばかりでなく，この場合の信頼性においても補償されるものではない。更に近年においてディジタル放送の受信をすることが多くなり，同軸ケーブルの選択やプラグの組み付けにおいてミスがあれば，そこから妨害信号が入り込むことによって，受信画像に影響を与える場合が発生して，美しい画像が見られないといった問題があった。
【０００５】
また，同軸ケーブルが所定の長さに切られており，当該同軸ケーブルの両端にはプラグが加工済みの製品が家電店等において売られているのであるが，これを使用する場合は，宅内に配線するのに最適な寸法の同軸ケーブルが無い場合は，長めの物を購入することによって，テレビ等の背面に長いまま設置したり，余分な長さ分だけを適当に束ねるなどしたりして設置していた。
この場合は，テレビ等の背面は他のケーブル類と合わせて整理し難いものとなるといった問題があった。更に近年において急速に普及している液晶テレビのように，生活のスタイルに合わせて液晶テレビの設置場所を移動させて見たり，パーソナルコンピュータでテレビを個人で楽しむといったりした新しい使い方がなされるようになってきたが，当該テレビの配置場所に合わせて同軸ケーブルをすっきりと配線するためには，テレビの設置位置が制限されるといった問題があった。また移動や設置のたびに同軸ケーブルを取り外したり接続しなおしたりする手間が生じることになった。
また，同軸ケーブが長くなればなるほどそれを入れるための梱包材を大きくしたり，梱包材が変形しないように強化したりする必要が生じることで製品コストが高くなるといった問題もあった。
【０００６】
そこで本願においては，こうした問題点を解決するためになされたものであり，
その目的は，配設する寸法に最適な長さに調整可能で，テレビ端子とテレビ受像機間の背面であっても，すっきりと配線可能なテレビ共同受信用テレビ端子を提供することにある。
他の目的は，取り扱いが簡単で汎用性の高いテレビ共同受信用テレビ端子を提供することにある。
他の目的は，ディジタル放送受信に対して良好な特性を有すると共に，広帯域な伝送特性を有するテレビ共同受信用テレビ端子を提供することにある。
他の目的は，出荷時や保管時においては小型にすることができ，梱包材のコスト低減，保管場所の省スペース化のできるテレビ共同受信用テレビ端子を提供することにある。
他の目的及び利点は，図面及びそれに関した以下の説明により容易に明らかになるであろう。
【課題を解決するための手段】
【０００７】
上記課題を解決するために，請求項１の発明は，内部に収納空間を備えた略四角形状のケースの前面にパネルを具備し，該パネルの凹部にアウトレット用端子を備え，ケースの他の面に少なくとも１つの接栓座を備えたテレビ共同受信用テレビ端子において，
前記アウトレット用端子は，同軸ケーブルの一方側に備えられたＦ型プラグからなり，該Ｆ型プラグは，前記ケース内に収容された軸体であって，該ケース内に形成した枢着部に枢着されて，前記同軸ケーブルを周囲に巻回し且つその同軸ケーブルを巻戻し方向に付勢する付勢手段が内蔵された軸体に対して繰出し・巻戻し自在に構成されており，前記同軸ケーブルの他方側には接続部が備えられ，該接続部は前記軸体であって該軸体の軸線上となる位置に固着させてあり，前記接栓座は前記ケースから突設するように備えられ，
前記軸体に備えた接続部と，前記接栓座とは，前記ケース内部において，前記軸体の回転動作においても前記接続部と接栓座とを電気的に接続可能な接続手段を備え，前記パネルの前面には，前記同軸ケーブルの巻き戻しの操作手段を備えるように構成される。
【発明の効果】
【０００８】
請求項１の発明によれば，内部に収納空間を備えた略四角形状のケースの前面にパネルを具備し，該パネルの凹部にアウトレット用端子を備え，ケースの他の面に少なくとも１つの接栓座を備えたテレビ共同受信用のテレビ端子において，
前記アウトレット用端子は，同軸ケーブルの一方側に備えられたＦ型プラグからなり，該Ｆ型プラグは，前記ケース内に収容された軸体であって，該ケース内に形成した枢着部に枢着されて，前記同軸ケーブルを周囲に巻回し且つその同軸ケーブルを巻戻し方向に付勢する付勢手段が内蔵された軸体に対して繰出し・巻戻し自在に構成されており，前記同軸ケーブルの他方側には接続部が備えられ，該接続部は前記軸体であって該軸体の軸線上となる位置に固着させてあり，前記接栓座は前記ケースから突設するように備えられ，
前記軸体に備えた接続部と，前記接栓座とは，前記ケース内部において，前記軸体の回転動作においても前記接続部と接栓座とを電気的に接続可能な接続手段を備え，前記パネルの前面には，前記同軸ケーブルの巻き戻しの操作手段を備えるように構成したので，
テレビ端子とテレビとの間の距離に合わせて最適な長さに簡単に配線できる。未使用な状態では簡単な操作で同軸ケーブルをケース内に巻戻すことができ，接続の手間が省け且つ美観を損ねることがない。同軸ケーブルを巻戻した状態において外形寸法が小さくなり，出荷時や保管時における省スペース化や，梱包材の小型化による製品コストの低減ができる。といった優れた特長を有するテレビ共同受信用テレビ端子を提供できるのである。
【発明を実施するための最良の形態】
【０００９】
以下に，本発明を具体化した実施形態の例を，図面を基に詳細に説明する。
図１は本発明に係るテレビ端子の実施形態を示す斜視図である。図２は壁面に取付けられたテレビ端子の説明図である。図３は図１におけるＡ−Ａ線からみた一部破断側面図である。図４は本発明に係るテレビ端子の分解した状態を示す断面図である。図５は組立後の断面図である。図６は付勢手段の構成を示す要部拡大の斜視図である。図７（ａ）は図１におけるＢ−Ｂ線から見た拡大断面図であり，（ｂ）は回転ストッパーと収納側壁とのカム機構の要部拡大図である。図８は他の実施形態を示す斜視図である。
【実施例１】
【００１０】
以下に本発明の実施形態の一例を図面に基づいて説明する。図１，２，３は本発明に係るテレビ共同受信用テレビ端子の実施例としてテレビ端子の斜視図と使用状態を示す図である。この図において，１は略四角形状をしたケース本体２を備えたテレビ端子である。このケース本体２の上面及び下面には，図示されていない開口部が形成されており，該開口部にケース蓋体７及び８を取付けることによって，ケース本体２の内部に物品等が収納できる図には示されない空間４が形成される構成となっている。 
更に前記ケース本体２の一側面には，該側面に係止片３ａ，３ａで係止されたパネル３（端子台とも言う。）が具備されている。このパネル３は合成樹脂材料を金型成型したものであり，該パネル３の中央部には凹部３ｃが一体に形成されており，この凹部３ｃにはＦ型プラグ１０が立設した状態となるように配設されている。
ケース蓋体７には中央部に透孔７ａを備えた凹部７ｂが形成されており，前記透孔７ａからは前記Ｆ型接栓座２０が突出するように形成されている。
前記Ｆ型プラグ１０と前記Ｆ型接栓座２０とは，図３の一部断面図に示すように，ケース本体２の収納空間４において同軸ケーブル１１を介して接続されている。
この同軸ケーブル１１は，絶縁体にしなやかで可曲性の良い合成樹脂材を用いて構成された細径の同軸ケーブルであり，ケース本体２の収納空間４に回転自在となるように枢着された軸体３０の外周に巻回され，且つ，前記軸体３０に対して繰出し・巻戻し自在に構成されている。
尚，ケース本体２，ケース蓋体７及び８は本願の実施例によれば金属材料を成形したものを用いているが，この実施例に限定されるものではなく合成樹脂材料で形成しても良いし，組み合わせて構成しても良い。
【００１１】
パネル３には一体に止着爪３ｂが形成されており，取付金具５の側方に形成された止着部５ａ，５ｂ，５ｃの内の，例えば５ｂに対して挿し込み装着される。そしてこのテレビ端子１は宅内の壁面等に取付けられ，パネル３の表面の周囲をフラッシプレート６で閉塞することによって壁内に埋設される。よってフラッシプレート６からは，Ｆ型プラグ１０を備えたパネル３のみが顔を出し，そのＦ型プラグ１０はパネル３から繰出し・巻戻し自在にできるように構成されている。
【００１２】
次に軸体３０の枢着方法や前記Ｆ型プラグ１０と前記Ｆ型接栓座２０とを前記同軸ケーブル１１を介して接続する方法等について図３〜６を基に詳細に説明する。
図３は図１に示すＡ−Ａ線の一部断面図である。この図では収納空間４に収納した軸体３０に同軸ケーブル１１が巻き回されている状態を示している。
図４，５はこの組立の状態を示す拡大図である。軸体３０は，該軸体３０の一方側に形成された収納側壁３１と，他方側に形成された側壁３２とが備えられており，これらの側壁の間に収容空間を形成することにより，該軸体３０の周面に同軸ケーブル１１が巻き回されるように収納空間４にケースに対して回転自在に枢着手段を用いて枢着されている。
【００１３】
１５は前記軸体３０の枢着手段の一方側を構成する係止棒であり，係止部１５ａと遊挿部１５ｂとからなり，前記係止部１５ａを前記ケース蓋体８に形成した貫通孔８ａに係合固着すると共に，前記遊挿部１５ｂを前記軸体３０の軸線上に形成された軸孔３０ａに遊挿して該軸体３０を回転自在に保持するように構成されている。
【００１４】
次に軸体３０の他方側の枢着手段について説明する。１６は軸体３０の他方側端部であって，軸線上となる位置に固着されたＦ型コネクタである。この軸体端部の内側には，前記軸孔３０ａと連設した空間３０ｂが形成されている。該空間３０ｂには前記Ｆ型コネクタ１６の中心導体が突出させてあり，前記同軸ケーブル１１の自由端１１ａが前記Ｆ型コネクタの中心導体と外部導体に接続されている。
前記Ｆ型コネクタ１６には，２０に示すＦ型接栓座が取付けられている。このＦ型接栓座２０は一方を外周に雌ねじが形成された接続部２１と，他方を前記Ｆ型コネクタに摺動固着する接続部２３と，両接続部の間に形成された鍔部２２とからなる。この鍔部２２は例えば六角形，楕円，小判型当の形状に形成されている。
このＦ型接栓座２０の接続部２３は，前記Ｆ型コネクタ１６に対して回転方向に回転自在に，及び，軸線方向に抜差し自在に摺動固着できるように接続部の内周にバネ材等で形成された摺動部材が具備されており，前記Ｆ型コネクタ１６に摺動固着される。
【００１５】
次に，Ｆ型接栓座２０の接続部２１側には，前記ケース蓋体７がケース本体２の上面側開口部に組付けられる。このとき前記接続部２１はケース蓋体７に形成された凹部７ｂの中心に形成された貫通孔７ａに遊挿させるのであるが，前記凹部７ａの内側と前記鍔部２２の外形とは相互に嵌合するように形成されており，ケース蓋体７をケース本体２の開口部に組付けることによって，前記Ｆ型接栓座２０は回転方向の動きを制限されると共に，前記Ｆ型接栓座２０が外方向に抜けるのを制限されるように構成されている。
また，前記Ｆ型コネクタ１６の周縁には，前記Ｆ型接栓座２０の接続部２３の外周径よりやや大きくなる位置に，前記側壁３２の外側方向に立設させた枢着壁３２ａが形成されており，この枢着壁３２ａによって，前記Ｆ型接栓座２０の軸線に対して直交する方向に対して軸線が振れることを最小限に制限するように構成されている。この部分が前記枢着手段の他方側を構成している。
これによって，前記係止棒１５，軸体３０，Ｆ型コネクタ１６，Ｆ型接栓座２０の軸線は夫々同一軸線上になるように配設されて，前記軸体３０が軸線に対して回転自在となると共に，該軸体３０の回転動作によって前記Ｆ型コネクタ１６が回転したとしてもＦ型接栓座２０は回転することがないのである。尚，この実施例ではＦ型コネクタ１６が請求項に示す接続手段を構成している。
【００１６】
前記軸体３０は同軸ケーブル１１の自由端１１ａが，Ｆ型コネクタ１６の中心導体と外部導体に対して接続しやすいように，例えば軸体３０を軸体本体と軸体蓋体との２分割に形成しても良い。この場合は軸体蓋体側からネジ棒を使って，軸体本体に形成したネジ孔３０ｃ，３０ｃに螺着させることによって，前記同軸ケーブル１１の自由端１１ａ部を軸３０に固着すると共に，軸体３０に生じる角部を無くすことによって，前記同軸ケーブル１１が軸体３０の周面に滑らかに巻き回せる。
このようにケース内の収納空間４に回転自在に枢着された軸体３０には，同軸ケーブル１１が巻き回されて収納されるのであるが，この同軸ケーブル１１の他方側にはＦ型プラグ１０が取付けられている。このＦ型プラグ１０は前記パネル３の凹部３ｃの底部に嵌合して，前記凹部３ｃに収納されるように形成されており，前記プラグ１０を引き抜くことにより，同軸ケーブル１１を任意の長さに繰出し可能になっている。
【００１７】
更に同軸ケーブル１１の繰出しについて図６を基に説明する。図に示すように，収納側壁３１の外側には周縁を側板３１ａに囲まれた凹部３１ｂが形成されており，該凹部３１ｂには付勢手段としてのバネ９が収納されている。このバネ９の中心側端部９ｂは，軸体３０に形成した軸孔３０ａの内方向であって，該軸孔３０ａの軸線方向に突出するように配置させてある。この端部９ｂは，ケース蓋体８の外側から貫通孔８ａに挿通させた係止棒１５を前記軸孔３０ａに遊挿する時に，前記係止棒１５に形成された切欠部１５ｃに収まるように配設されている。
また，バネ９の外側端部９ａは，収納側壁３１の周縁に設けられた側板３１ａに係合保持されている。これによって軸体３０に巻き回された同軸ケーブル１１を外方向に引き出すことによって軸体３０が回転させられると共に，前記付勢手段９が変形させられる。次に同軸ケーブル１１を引き出す力が加わらなくなると，前記付勢手段のバネ９が基の形状に戻ることによって，軸体３０が回転することとなり前記同軸ケーブル１１は巻戻されるのである。
【００１８】
図７（ａ），（ｂ）には，軸体３０の回転ストッパー３５の実施例を示してある。この実施例において前記回転ストッパー３５は，パネル３の内部においてパネル３の前面内壁と前記回転ストッパー３５に形成された鍔部３５ｂとの間にバネ３６を備えることによって，このバネ３６によって前記回転ストッパー３５をケース本体２の内方向に付勢するように構成されている。
前記回転ストッパー３５の一方側（ケース本体２の内側）の先端部は，前記収納側壁３１の側板３１ａの外周面と当接するように構成されている。また側板３１ａの外周面には凸凹手段が形成されている。
前記回転ストッパー３５の先端部と側板３１の凸凹手段との関係は，図７（ｂ）１，２に示すように，同軸ケーブル１１を外側方向に引き出すときは，軸体３０の回転動作を容易に行なえ，繰出しを辞めた時（所謂，同軸ケーブル１１に繰出しの力が加わらなくなった状態。）は，同軸ケーブル１１が軸体３０に備えた付勢手段９によって巻戻されないよう，軸体３０の回転を阻止するようなカム機構となるように形成されている。
【００１９】
次に，同軸ケーブル１１を軸体３０に巻き戻す場合は，図７（ｂ）３に示すように，パネル３の外側に位置する回転ストッパー３の他方側に備えた操作部３５ａを繰出し操作することによって，前記回転ストッパーの先端部と前記凸凹手段とのカム機構が解除されることとなり，前記軸体３０は付勢手段９によって元の状態に戻され，これによって前記同軸ケーブル１１は軸体３０の収納部に巻き戻されるのである。
尚本願の実施例においては，同軸ケーブル１１を巻き戻す操作方法として，パネル３の前面に回転ストッパー３５の操作部３５ａを備え，該操作部３５ａを繰出し操作することで行なうようにしている。これは，回転ストッパー３５を押すことによって同軸ケーブルを巻き戻す方法にした場合は，前記操作部が障害物等によって誤って押されてしまい，使用状態であっても同軸ケーブル１１が簡単に巻戻されることの無い様に配慮したものであり，特に本発明の実施例に限定されるものではない。 
【００２０】
このように構成されたテレビ端子１を用いたテレビ共同受信システムについて説明する。
図２に示すように宅内の壁面等に取付けられたテレビ端子１の近傍にはテレビ受像機等が配置されるのであるが，近年の薄型テレビのようにデザイン的にも優れたテレビを設置することが多くなり，テレビ端子１とテレビ受像機の間の後面側における配線もスッキリとした配線をすることが望まれる。そこでこの配線を行なうためには，一般的に市販されている加工済みの同軸ケーブルを用いて行なえば，簡単に配線することができる。ところがテレビの設置場所に応じた最適な寸法の同軸ケーブルがあれば良いのであるが，通常１ｍ・２ｍ・３ｍ・５ｍというように数種類の寸法の物が売られているのが現状であり，結局長めの同軸ケーブルを用いて配線を行い，余分な同軸ケーブルはテレビの背面にそのままぶら下げておくか束ねることで使用していた。
【００２１】
また，近年では例えばリビングで見ていた薄型テレビを，必要に応じて寝室や子供部屋に移動させて見るといった例があったり，パーソナルコンピュータで個々にテレビを見るといった事が一般的となったりで，テレビを見る形態の多様化が進んだ。この場合は，テレビ端子に接続された同軸ケーブルは接続したままにしておくか，その都度取外したり，取付けたりする必要があり美観も良くないし，接続の手間がかかるといった問題があった。
そこで本発明の実施形態に示す例のよう，ケース内に同軸ケーブル収納して，該同軸ケーブルを繰出し，巻戻し自在にすることによって，テレビ等の配置に対応して同軸ケーブルを別途用意する必要が無い。テレビ端子とテレビとの間の距離に合わせて最適な長さに簡単に配線できる。未使用な状態では簡単な操作で同軸ケーブルをケース内に巻戻すことができ手間が省け且つ美観を損ねることがない。同軸ケーブルを巻戻した状態において外形寸法を小さくすることができるので，出荷時や保管時における省スペース化や，梱包材の小型化による製品コストの低減ができる。といった優れたテレビ共同受信用テレビ端子が提供できるのである。
尚，本発明は上記実施の形態に限定されるものではなく，図８に示すような構成としてもよく，本発明の趣旨を逸脱しない範囲で各部の構成を適宜に変更して実施することも可能である。
【図面の簡単な説明】
【００２２】
【図１】図１本発明に係るテレビ端子の実施形態を示す斜視図である。
【図２】壁面に取付けられたテレビ端子の説明図である。
【図３】図１におけるＡ−Ａ線からみた一部破断側面図である。
【図４】本発明に係るテレビ端子の分解した状態を示す断面図である。
【図５】組立後の断面図である。
【図６】付勢手段の構成を示す要部拡大の斜視図である。
【図７】（ａ）は図１におけるＢ−Ｂ線から見た拡大断面図であり，（ｂ）は回転ストッパーと収納側壁とのカム機構の要部拡大図である。
【図８】他の実施形態を示す斜視図である。
【符号の説明】
【００２３】
１…テレビ端子，２…ケース本体，３…パネル，３ａ…係止片，３ｂ…止着爪，３ｃ…凹部，４…収納空間，５…取付金具，５ａ・５ｂ・５ｃ…止着部，６…フラッシプレート，７…上面側のケース蓋体，７ａ…貫通孔，７ｂ…凹部，８…下面側のケース蓋体，８ａ…貫通孔，９…バネ，９ａ・９ｂ…バネ端部，１０…Ｆ型プラグ，１１…同軸ケーブル，１１ａ…同軸ケーブルの自由端，１５…係止棒，１５ａ…係止部，１５ｂ…遊挿部，１５ｃ…切欠部，１６…Ｆ型コネクタ，２０…Ｆ型接栓座，２１…接続部，２２…鍔部，２３…接続部，３０…軸体，３０ａ…軸孔，３０ｂ…空間，３０ｃ…ネジ孔，３１…収納側壁，３１ａ…側板，３１ｂ…凹部，３２…側壁，３２ａ…枢着壁，３５…回転ストッパー，３５ａ…操作部，３５ｂ…鍔部，３６…バネ
【図１】
2006066158.tif 000003
【図２】
2006066158.tif 000004
【図３】
2006066158.tif 000005
【図４】
2006066158.tif 000006
【図５】
2006066158.tif 000007
【図６】
2006066158.tif 000008
【図７】
2006066158.tif 000009
【図８】
2006066158.tif 000010